(57)【要約】【課題】コンピュータや携帯端末機器に情報再生装置を装着したままで、メディアの交換を行なうことができる情報再生装置を得ることを目的とする。【解決手段】一端にコネクタ５０を有し、他端にメディア挿入口１０１ａを有し、該メディア挿入口に連なるメディア装着部１０１ｂを有するカード形の装置本体１０１と、該装置本体の前記メディア装着部上に設置され、前記メディア挿入口からメディアを挿入・排出するために前記装置本体から離間する離間位置と、前記メディア装着部に装着されたメディアを駆動するために近接する近接位置とにスライド変位可能なメディア駆動部１００と、を備える。【選択図】図１
2006268929.tif 000002
【特許請求の範囲】
【請求項１】
一端にコネクタを有し、他端にメディア挿入口を有し、該メディア挿入口に連なるメディア装着部を有するカード形の装置本体と、
該装置本体の前記メディア装着部上に設置され、前記メディア挿入口からメディアを挿入・排出するために前記装置本体から離間する離間位置と、前記メディア装着部に装着されたメディアを駆動するために近接する近接位置とにスライド変位可能なメディア駆動部と、
を備えることを特徴とする情報再生装置。
【請求項２】
前記メディア駆動部が、該メディア駆動部を前記装置本体から離間させるように付勢する離間バネを備え、前記装置本体が、前記メディア駆動部を前記近接位置に係止する側面係止部材と、前記メディア駆動部を前記離間位置に係止する側面ガイド部材を備えることを特徴とする請求項１記載の情報再生装置。
【請求項３】
前記メディア駆動部が、少なくとも一部が金属で構成され前記メディア駆動部を覆うカバーを備え、前記メディア駆動部が前記近接位置にあるとき、前記カバーが前記メディア挿入口を閉じることを特徴とする請求項１または２記載の情報再生装置。
【請求項４】
前記メディアが光ディスクであり、前記メディア駆動部が光ピックアップを備え、前記情報再生装置が光ディスクドライブ装置であることを特徴とする請求項１〜３のいずれかに記載の情報再生装置。
【請求項５】
前記コネクタが、コンパクトフラッシュ（登録商標）カード規格に準拠するコネクタであることを特徴とする請求項１〜４のいずれかに記載の情報再生装置。
【請求項６】
前記コネクタが、ＳＤカード規格に準拠するコネクタであることを特徴とする請求項１〜４のいずれかに記載の情報再生装置。
【発明の詳細な説明】
【技術分野】
【０００１】
本発明は、携帯情報機器、携帯電話、携帯ゲーム機などに代表される携帯端末機器に接続可能であって、情報記録メディアに対する情報の記録または再生のうち少なくとも再生を行うことができる情報再生装置に関するものである。
【背景技術】
【０００２】
デジタル技術の発達に伴い、取り扱う情報（データ）が急増している。このため、様々な用途に合わせた情報記録メディアが開発されている。コンピュータなどに使用される情報記録メディアとしては、ハードディスク（ＨＤＤ装置）、光ディスク、半導体メモリなどが挙げられる。前記のメディアの中で、光ディスクは、記録容量当たりのコストの優位性、ランダムアクセス性、再生専用（ＲＯＭ）としたときのディスク製造の容易性に優れている。
【０００３】
前記の情報記録メディアを使用するパソコンなどの機器を、室内だけではなく外に持ち出して使用したいという要求がある。例えば、ラップトップパソコンなどの携帯型パソコン、ＰＤＡに代表される携帯情報機器、携帯電話、携帯ゲーム機およびデジタルカメラなどを挙げることができる。
【０００４】
この要求に対応する情報記録メディアとしては、情報量が少ない場合、一般に半導体メモリが使用される。半導体メモリは消費電力が少なく、機構部がないために故障に強く、情報転送速度が非常に高速であるというメリットがある。しかし、記録容量当たりのコストが高いために、大容量記録メディアとしては不向きである。
【０００５】
これに対して、情報記録装置として一般的に使用されるＨＤＤ装置は、半導体メモリほどではないが情報転送速度も速く、記録容量当たりのコストが低いために、大容量記録メディアとして適している。
【０００６】
現在、ＰＤＡなどに代表される携帯情報機器では、Ｃｏｍｐａｃｔ  Ｆｌａｓｈカード（以下、「ＣＦカード」という。）と呼ばれているカードタイプのメディアを使用する規格コネクタが装備されており、このコネクタに、メモリとして使用する半導体メモリカードやＨＤＤ装置（通称「マイクロドライブ」）等を接続することにより、データの記録容量を増やすことが可能である。
【０００７】
また、規格コネクタには、無線ユニット、ＬＡＮカード、ＧＰＳカード、デジタルカメラユニット、バーコードユニット等を接続することが可能であり、携帯情報機器の用途を拡大している。
【０００８】
従来の携帯情報機器としての光ディスクドライブ装置として、ＰＣＭＣＩＡ規格に対応するコネクタと、コネクタに連続する外形形状をＰＣＭＣＩＡ規格に対応する形状に形成された光ディスクドライブ本体と、光ディスクドライブ本体に対して開閉自在に取り付けられて光ディスクを内装したカートリッジを格納するトレイと、トレイに格納される光ディスクカートリッジと、光ディスクドライブ本体に装備されてカートリッジの光ディスクに対して情報の記録再生を行なう記録再生機器部材とを備え、光ディスクカートリッジは、カード型のカートリッジ筐体と、カートリッジ筐体の一方の矩辺側に偏寄されて内装される光ディスクを有し、光ディスクカートリッジがトレイに格納され、光ディスクドライブ本体に装着されたときに、光ディスクカートリッジ内の光ディスクはコネクタとは反対側に偏寄された状態とするものがある（例えば、特許文献１参照）。
【特許文献１】特開平１０−９７７８１号公報
【発明の開示】
【発明が解決しようとする課題】
【０００９】
しかしながら、上記従来の光ディスクドライブ装置は、情報記録メディア（光ディスク）の交換時には、光ディスクドライブ装置をコンピュータや携帯端末機器から引き抜かなければならず、操作性が悪いという問題があった。
【００１０】
本発明は、上記に鑑みてなされたものであって、コンピュータや携帯端末機器に情報再生装置を装着したままで、メディアの交換を行なうことができる情報再生装置を得ることを目的とする。
【課題を解決するための手段】
【００１１】
上述した課題を解決し、目的を達成するために、本発明の情報再生装置は、一端にコネクタを有し、他端に光ディスク挿入口を有し、該光ディスク挿入口に連なる光ディスク装着を有するカード形の装置本体と、該装置本体の前記光ディスク装着上に設置され、前記光ディスク挿入口からメディアを挿入・排出するために前記装置本体から離間する離間位置と、前記光ディスク装着に装着されたメディアを駆動するために近接する近接位置とにスライド変位可能なメディア駆動部とを備える。
【発明の効果】
【００１２】
本発明の請求項１記載の情報再生装置によれば、コンピュータや携帯端末機器に情報再生装置を装着したままで、メディアの交換を行なうことができ、操作性のよい情報再生装置が得られるという効果がある。
【発明を実施するための最良の形態】
【００１３】
請求項１記載の発明は、一端にコネクタを有し、他端に光ディスク挿入口を有し、該光ディスク挿入口に連なる光ディスク装着を有するカード形の装置本体と、該装置本体の光ディスク装着上に設置され、光ディスク挿入口からメディアを挿入・排出するために装置本体から離間する離間位置と、光ディスク装着に装着されたメディアを駆動するために近接する近接位置とにスライド変位可能なメディア駆動部と、を備えることを特徴とする情報再生装置であり、コンピュータや携帯端末機器に情報再生装置を装着したままで、メディアの交換を行なうことができる。
【００１４】
請求項２記載の発明は、メディア駆動部が、該メディア駆動部を装置本体から離間させるように付勢する離間バネを備え、装置本体が、メディア駆動部を近接位置に係止する側面係止部材と、メディア駆動部を離間位置に係止する側面ガイド部材を備えることを特徴とする請求項１記載の情報再生装置であり、メディア駆動部を装置本体から離間する離間位置と、近接する近接位置とにスライド変位させて係止する。
【００１５】
請求項３記載の発明は、メディア駆動部が、少なくとも一部が金属で構成されメディア駆動部を覆うカバーを備え、メディア駆動部が近接位置にあるとき、カバーが光ディスク挿入口を閉じることを特徴とする請求項１または２記載の情報再生装置であり、カバーがメディア駆動部で生じるノイズや外部からのノイズを遮断するとともに、カバーにより光ディスク挿入口を開閉する。
【００１６】
請求項４記載の発明は、メディアが光ディスクであり、メディア駆動部が光ピックアップを備え、情報再生装置が光ディスクドライブ装置であることを特徴とする請求項１〜３のいずれかに記載の情報再生装置であり、小径のディスクでも大量のデータを記録できるので、映画等の動画を再生可能である。
【００１７】
請求項５記載の発明は、コネクタが、コンパクトフラッシュ（登録商標）カード規格に準拠するコネクタであることを特徴とする請求項１〜４のいずれかに記載の情報再生装置であり、現在市販されている携帯情報機器のメディアを拡張する。
【００１８】
請求項６記載の発明は、コネクタが、ＳＤカード規格に準拠するコネクタであることを特徴とする請求項１〜４のいずれかに記載の情報再生装置であり、現在市販されている携帯情報機器のメディアを拡張する。
【００１９】
（実施の形態１）
以下に本発明の実施の形態について、図を用いて説明する。図１は本発明の情報再生装置の一実施の形態を示す光ディスクドライブ装置の斜視図である。
【００２０】
図１に示すように、情報再生装置としての光ディスクドライブ装置は、一端にコンパクトフラッシュ（登録商標）カード規格（以下、「ＣＦカード規格」という。）に準拠するコネクタ５０を有し、他端に光ディスク挿入口としての光ディスク挿入口１０１ａを有し、光ディスク挿入口１０１ａに連なる光ディスク装着としての光ディスク装着部１０１ｂとを有する矩形のカード形の装置本体１０１を備えている。コネクタ５０、光ディスク挿入口１０１ａおよび光ディスク装着部１０１ｂについては後述する。
【００２１】
また、光ディスクドライブ装置は、装置本体１０１の光ディスク装着部１０１ｂ上に設置され、光ディスク挿入口１０１ａから光ディスクを挿入・排出するために装置本体１０１から離間する離間位置と、光ディスク装着部１０１ｂに装着された光ディスクを駆動して少なくとも再生するために近接する近接位置とにスライド変位可能なメディア駆動部１００を備えている。メディア駆動部１００は、光ディスクに対する情報の記録と再生のうち少なくとも再生を行なうことができる光ピックアップ等の再生機器を備えている。図１では、光ディスク挿入口１０１ａはメディア駆動部１００を覆うカバー１により閉じられている。
【００２２】
まず、メディア駆動部１００について、図２〜図４を用いて説明する。図２はメディア駆動部１００のカバーの斜視図である。カバー２は側面部を構成し、カバー１は上面部、斜面部および前面部を構成し、カバー１および２によりメディア駆動部１００をカバーしている。カバー１および２は同一材料としてもよいが、最良の形態としては、カバー２を樹脂材料で形成し、カバー１を金属材料で形成することにより、メディア駆動部１００の放熱性を向上させ、電子ノイズの漏洩を防止することができる。当然のことながら、カバー１および２の材料の選択は、熱問題やノイズ問題、或いは機械的強度の問題を考慮して適宜選択可能である。３はメディア駆動部１００が装置本体１０１に対して離間・近接スライド変位するための金属丸棒状のガイド棒である。ガイド棒３については後述する。
【００２３】
図３は、カバー１および２を取り外したメディア駆動部１００を示す斜視図である。１０はメディア駆動部１００内に設けられたメディア駆動部回路基板、１１はメディア駆動部回路基板１０と後述の光ピックアップとを接続する光ピックアップ用ＦＰＣ（Ｆｌｅｘｉｂｌｅ  Ｐｒｉｎｔｅｄ  Ｃｉｒｃｕｉｔ）、１２はメディア駆動部回路基板１０と装置本体１０１内の後述の本体部回路基板とを接続する基板間ＦＰＣ、１３はメディア駆動部回路基板１０に取り付けられ、メディア駆動部１００と装置本体１０１との離間・近接により、オン・オフされる電子スイッチである。
【００２４】
図４は、メディア駆動部回路基板１０を取り外したメディア駆動部１００を示す斜視図である。２０はメディア駆動部１００のベース、２１は光ディスクの少なくとも再生を行う光ピックアップモジュール、２２は光ディスクを回転させるスピンドルモータ、２３は光ピックアップモジュール２１を光ディスクの内周部〜外周部間で径方向に移動させるためのネジが切られたリードスクリューである。
【００２５】
２４は、リードスクリュー２３から光ピックアップモジュール２１に駆動力を伝達するとともに、光ピックアップモジュール２１に接続する光ピックアップ用ＦＰＣ１１を保持するラック板バネ、２５はリードスクリュー２３に固定されたリードスクリュー歯車、２６はリードスクリュー２３を支持する軸受、２７はリードスクリュー２３に固定された放射スリットを設けた円板から成る遮光板、２８はリードスクリュー２３を回転させるフィードモータである。
【００２６】
２９は、フィードモータ２８の回転軸に取り付けられ、リードスクリュー歯車２５と噛み合うモータ歯車、３０は、フィードモータ２８および軸受２６を保持固定し、リードスクリュー２３を軸方向に付勢するモータ固定部材、３１はフィードモータ２８の回転数を計測するために、遮光板２７からの光によりリードスクリュー２３の回転数を計測するフォトインターラプターである。
【００２７】
３３は、光ピックアップモジュール２１が光ディスクの内周部〜外周部間を移動するのをガイドするガイドシャフト、３４はガイドシャフト３３をベース２０に固定するガイドシャフト固定部材、３５は、装置本体１０１の両側に取り付けられ、ベース２０（メディア駆動部１００）の上下動（離間・近接）をガイドする金属製の側面ガイド部材、３６は、装置本体１０１の両側に備え付けられ、鉤形状に形成され、鉤部でメディア駆動部１００を係止して装置本体１０１から離間しないようにする側面係止部材、３７は、側面係止部材３６を反コネクタ方向に引っ張るコイルバネから成る側面係止バネである。
【００２８】
３８は、光ディスクが内装された後述の光ディスクカートリッジを装置本体１０１に挿入・排出するために、装置本体１０１からメディア駆動部１００を離間（上方変位）させるように付勢する、捻りバネから成る離間バネ、３９は側面係止部材３６に取付けられたスライドボタンである。
【００２９】
次に、図５を参照して装置本体１０１について説明する。図５は装置本体１０１の斜視図である。５０は、矩形カード形の装置本体１０１の一端に取り付けられたＣＦカード規格に準拠するコネクタ、５１は装置本体１０１の本体フレーム、５２は本体フレーム５１の上面を覆う金属製の上面カバー、１０１ａは装置本体１０１の他端に設けられた光ディスク挿入口としての光ディスク挿入口、１０１ｂは光ディスク挿入口１０１ａに連なる光ディスク装着としての光ディスク装着部である。
【００３０】
図６は上面カバー５２を取り外し光ディスクカートリッジ６１を装着した装置本体１０１を示す斜視図である。６０はメディアとしての光ディスク、６１は光ディスク６０を内装する光ディスクカートリッジ、６２は光ディスクカートリッジ６１に備えられたシャッター、６３は本体部回路基板である。
【００３１】
図７は光ディスクカートリッジ６１の内部を示す斜視図である。６４は光ディスク６０の中心に取付けられた金属リング、６５（図７のＸ部参照）は、シャッター６２を光ディスク６０をカバーする位置に係止するシャッター係止部材である。
【００３２】
図８は、本体フレーム５１を取り外し、光ディスクカートリッジ６１を装着した装置本体１０１を示す斜視図である。７０は、光ディスクカートリッジ６１が装置本体１０１の光ディスク装着部１０１ｂに挿入されるときに、光ディスクカートリッジ６１を保持するカートリッジトレイ、７１は光ディスクカートリッジ６１を装置本体１０１から排出するカートリッジ排出部材、７２はカートリッジ排出部材７１を作動させる排出バネ、７４は、光ディスクカートリッジ６１がカートリッジトレイ７０に挿入されたとき、カートリッジ排出部材７１を係止するカートリッジ係止部材である。
【００３３】
図９は装置本体１０１の下面斜視図である。７５は、装置本体１０１の本体フレーム５１の下面を覆う金属製の下面カバーである。
【００３４】
次に、上記のように構成された光ディスクドライブ装置の操作方法、動作、およびＣＦカード規格に準拠させる条件について説明する。
【００３５】
図１０は、光ディスクドライブ装置の動作を示すカバーを取り外したメディア駆動部１００の斜視図である。光ディスクカートリッジ６１を装置本体１０１の光ディスク装着部１０１ｂに挿入するときは、側面係止部材３６に取付けられたスライドボタン３９を、側面係止バネ３７による逆方向のバネ力を受けながら、ＣＦカード規格コネクタ５０の方向（図１０の矢印Ａ方向）へスライドさせる。
【００３６】
光ディスクカートリッジ６１を光ディスク装着部１０１ｂに挿入するときに、スライドボタン３９をＣＦカード規格コネクタ５０の方向へ押圧してスライドさせるようにすることにより、光ディスクドライブ装置がＰＤＡなどの携帯情報機器に挿入・接続された状態において、スライドボタン３９の操作によりＣＦカード規格コネクタ５０が携帯情報機器から外れて、光ディスクドライブ装置が脱落するのを防止している。
【００３７】
スライドボタン３９が矢印Ａ方向にスライドすると、側面係止部材３６がメディア駆動部１００のベース２０の両側面に設けられた図１０のＭ部に示す係止ピン２０ａから外れ、ベース２０の４隅に備えられた持ち上げバネ３８がそれぞれ矢印Ｂ方向、Ｃ方向に開き、メディア駆動部１００を近接位置から矢印Ｄ方向に離間させ、図１０に示す離間位置に変位させる。本実施の形態では、離間バネ３８は捻りバネとなっているが、圧縮バネとしてもよい。
【００３８】
ベース２０の両側面の図１０のＮ部に設けられた合計４個のボス２０ｂが、側面ガイド部材３５に設けられた図８に示す長孔３５ａに挿し込まれていて、長孔３５ａによりメディア駆動部１００の変位量が規制され、メディア駆動部１００は側面ガイド部材３５により所定の離間位置に係止される。ボス２０ｂの真下を離間バネ３８の力点としているので、メディア駆動部１００を長孔３５ａに沿って円滑に離間させることができる。
【００３９】
図１１は光ディスクドライブ装置をコネクタ５０側から見た斜視図である。メディア駆動部１００を垂直にスライド変位させるために、ベース２０の底面にガイド棒３を設け、装置本体１０１の本体フレーム５１にガイド棒３を挿し込む垂直孔を設け、ガイド棒３でガイドしてメディア駆動部１００が傾かないように垂直方向にスライド変位させる。
【００４０】
装置本体１０１は薄いカード形の形状であるので、側面ガイド部材３５を金属材料として、強度を持たせるとともにＣＦカード規格に規程されているアース機能を持たせる。
【００４１】
図１２は光ディスクドライブ装置をメディア駆動部１００側から見た斜視図である。メディア駆動部１００が装置本体１０１から離間すると、装置本体１０１の前面（ＣＦカード規格コネクタ５０の反対側）に光ディスク挿入口としての光ディスクカートリッジ６１挿入口１０１ａが現れる。挿入口１０１ａは光ディスク装着部１０１ｂに連なっている。光ディスクカートリッジ６１を挿入口１０１ａに対して矢印Ｅ方向に挿入する。挿入後、メディア駆動部１００を装置本体１０１方向へ押すと、メディア駆動部１００が装置本体１０１に近接し、カバー１が挿入口１０１ａを閉じる。
【００４２】
図１３はメディア駆動部１００を取り外した装置本体１０１の斜視図である。挿入口１０１ａから装着部１０１ｂに挿入される光ディスクカートリッジ６１は、カートリッジトレイ７０に沿って装着部１０１ｂ内に挿入される。このとき、カートリッジトレイ７０に設けられた図１３のＹ部に示す折り曲げ部により、光ディスクカートリッジ６１内に設けられたシャッター係止部材６５が矢印Ｋ方向に動き、図１３のＺ部に示すシャッター６２の凸部とシャッター係止部材の凹部との係合が解かれ、シャッター６２が矢印Ｌ方向にスライドし、カートリッジ内の光ディスク６０に光ピックアップがアクセスできる状態となる。
【００４３】
図１４は、下面カバー７５を取り外した装置本体１０１の下面斜視図である。光ディスクカートリッジ６１がカートリッジトレイ７０内に挿入されていく過程で、光ディスクカートリッジ６１の後端面がカートリッジ排出部材７１をカートリッジ挿入方向（矢印Ｖ方向）に押し下げる。カートリッジ排出部材７１を回動可能に支持する支持軸７３には、捩りバネから成るカートリッジ排出バネ７２が取り付けられており、カートリッジ排出部材７１が矢印Ｖ方向に押し下げられるとカートリッジ排出バネ７２が圧縮される。
【００４４】
図１５は、下面カバー７５を取り外した装置本体１０１の下面斜視図である。カートリッジ排出部材７１は、その底面部に設けられた突起部が、図１５のＰ部に示すように、カートリッジ係止部材７４に設けられた溝部と係合するまで押し下げられ、溝部に係止される。
【００４５】
図１６は、光ディスクカートリッジ６１が装着された状態の光ディスクドライブ装置の斜視図である。装置本体１０１への光ディスクカートリッジ６１の装着後、メディア駆動部１００を下方へ押圧し、ガイド棒３にガイドさせて矢印Ｕ方向に下降させて装置本体１０１に近接させる。
【００４６】
メディア駆動部１００を近接させると、底面に設けられた２本のボスが光ディスクカートリッジ６１の位置決め孔に挿入され、光ディスクカートリッジ６１を正規位置に位置決めする。また、メディア駆動部１００が近接位置に来ると、図１０に示す側面係止部材３６が側面係止バネ３７により引き戻され、側面係止部材３６の鉤部で係止ピン２０ａを係止してメディア駆動部１００が装置本体１０１から離間しないようにする。
【００４７】
図１７はスピンドルモータ２２に光ディスク６０が吸着された状態を示す斜視図である。スピンドルモータ２２の先端に取り付けられた磁石に光ディスク６０に固着された金属リング６４が吸着されることにより、光ディスク６０がスピンドルモータ２２の先端に吸着される。
【００４８】
金属リング６４は、光ディスク６０のスピンドルモータ２２側と反対側の面に固着されており、スピンドルモータ２２の磁石が、光ディスク６０を挟んで金属リング６４を吸着するので、金属リング６４を光ディスク６０に接着する接着剤が経年劣化しているようなことがあっても、光ディスク６０がスピンドルモータ２２から落下するようなことはない。
【００４９】
次に、光ディスク６０の記録再生作業の終了後、光ディスクドライブ装置から光ディスクカートリッジ６１を排出する方法を説明する。
【００５０】
図１８は下面カバー７５を取り外した装置本体１０１の下面斜視図である。スライドボタン３９をコネクタ５０方向へ押すと、側面係止部材３６がコネクタ５０方向へスライドし、側面係止部材３６の鉤部から係止ピン２０ａが外れ、メディア駆動部１００が離間バネ３８により装置本体１０１から離間する。
【００５１】
その後、側面係止部材３６がカートリッジ係止部材７４に当接し、カートリッジ係止部材７４を図１８の矢印Ｓ方向に回転させる。カートリッジ排出部材７１とカートリッジ係止部材７４の係合が解かれ、カートリッジ排出部材７１が矢印Ｔ方向に回転して、光ディスクカートリッジ６１を排出方向へ押出し、光ディスクカートリッジ６１は装置本体１０１から排出される。
【００５２】
従来の光ディスクドライブ装置では、光ディスクの交換（装着および排出）時には、光ディスクドライブ装置をコンピュータや携帯端末機器から引き抜かなければならなかったが、本実施の形態の光ディスクドライブ装置では、光ディスクカートリッジ６１を交換する際に、スライドボタン３９の操作のみで、光ディスクカートリッジ６１の交換を可能としている。
【００５３】
次に、光ディスク６０の記録・再生について説明する。図１９はメディア駆動部１００の内部を示す前方斜視図である。光ディスクカートリッジ６１を装置本体１０１に装着し、メディア駆動部１００を装置本体１０１に近接させる、メディア駆動部回路基板１０に取り付けられた電子スイッチ１３の接触子が図１９の矢印Ｆ方向に押され、電子スイッチ１３が通電されてメディア駆動部１００の近接が検知される。
【００５４】
メディア駆動部１００の近接が検知されると、図４に示す光ピックアップモジュール２１のフィードモータ２８が始動し、モータ歯車２９およびリードスクリュー歯車２５を介してリードスクリュー２３を回転させる。リードスクリュー２３に押し当てられたラック板バネ２４により、リードスクリュー２３の回転運動が光ピックアップモジュール２１の直線運動に変換され、光ピックアップモジュール２１はガイドシャフト３３にガイドされて、光ディスク６０の径方向に外周〜内周間を移動して記録または再生を行なう。
【００５５】
フォトインターラプター３１により、リードスクリュー２３に取り付けられた遮光板２７の回転数を計測し、この回転数から光ピックアップモジュール２１の移動距離を演算し、移動距離を図示しない制御装置にフィードバックして光ピックアップモジュール２１の動作を制御する。
【００５６】
図２０はメディア駆動部１００の内部を示す側方斜視図である。メディア駆動部回路基板１０と図６に示す本体部回路基板６３とを接続する基板間ＦＰＣ１２を図２０に示すようにＳ字状に湾曲させて取り付け、メディア駆動部１００のスライド変位に合わせて、基板間ＦＰＣ１２が図２０の矢印Ｑ方向の動きに追従できるようにする。
【００５７】
次に、本実施の形態の光ディスクドライブ装置を、市販品に適用されているカード規格であるＣＦカードＴｙｐｅ２規格へ準拠させるための形状寸法について説明する。ＣＦカード規格において、装置本体１０１の厚さの規格最大値は５ｍｍである。本実施の形態では、光ディスクドライブ装置を小型化することにより、ＰＤＡなどの携帯情報機器に接続した場合においても、携帯性を損なうことのないよう、図５、図６、図８および図９に示すように、ＣＦカードＴｙｐｅ２規格である５ｍｍの厚さ寸法内に光ディスクカートリッジ６１が入るようにする。
【００５８】
本実施の形態においては、光ディスクカートリッジ６１の厚さ寸法を２．８ｍｍとし、装置本体１０１の図５に示す上面カバー５２および図９に示す下面カバー７５を各々暑さ０．２ｍｍのＳＵＳなどの金属板材、光ディスクカートリッジ６１を保持する図１３に示すカートリッジトレイ７０を厚さ０．１５ｍｍのＳＵＳなどの金属板材、図１８に示す側面係止部材３６の厚さを０．３ｍｍ、図２０に示す基板間ＦＰＣ１２を配置するための高さを０．６ｍｍ、残りを前記部品間のクリアランスとして分配している。
【００５９】
当然のことながら、光ディスクカートリッジ６１の厚さを薄くすれば、他の構成部品の厚さ寸法を増やすことができ、装置本体１０１自体の強度を高めることができる。
【００６０】
また、装置本体１０１の部品構成として、上面より、上面カバー５２、光ディスクカートリッジ６１、カートリッジトレイ７０、本体部回路基板６３、下面カバー７５とすることにより、装置本体１０１の内部空間を効率的に利用することができる。
【００６１】
図２１は光ディスクドライブ装置の縦断面図である。図２１に示すように、さらに光ディスクドライブ装置を小型化するために、ＣＦカードの形状規格で定められた図２１のＲ部に示すメディア駆動部１００の傾斜部にスピンドルモータ２２の底面部を配置すること、すなわち、光ディスク６０の中心位置をＣＦカードの形状規格で定められた傾斜部に設けるか、または、可能な限り傾斜部に近づけることにより、光ディスクカートリッジ６１の装着位置をコネクタ５０に近づけ、光ディスクドライブ装置全体の長さを短くすることができる。
【００６２】
一般的な光ディスクドライブ装置には、周対向型のスピンドルモータ２２が使用されているが、コイルを細線化し線間距離を狭ピッチ化して高密度コイルとして基板に印刷し、この基板を積層したセラミックコイルを用いたモータを採用することにより、スピンドルモータの高さ寸法を縮めることができるので、さらにコネクタ５０の近くへ光ディスクカートリッジ６１の装着位置をずらすことができ、光ディスクドライブ装置の長さ寸法をさらに短縮することができ、携帯性を向上させることができる。
【００６３】
以上、本発明の情報再生装置の一実施の形態として光ディスクドライブ装置について説明したが、本発明は光ディスクドライブ装置に限定されるものではなく、記録メディアとして磁気ディスクを用いる磁気ディスクドライブ装置にも適用することができる。また、情報の記録および再生を行なう装置にも適用することができる。
【産業上の利用可能性】
【００６４】
本発明の情報再生装置は、コネクタ部を携帯端末機器などに挿入したまま、メディア駆動部の装置本体からの離間によってメディアの交換を行なうことができ操作性がよいので、携帯情報機器、携帯電話、携帯ゲーム機などに代表される携帯端末機器用として利用することができる。
【図面の簡単な説明】
【００６５】
【図１】本発明の情報再生装置の一実施の形態を示す光ディスクドライブ装置の斜視図
【図２】メディア駆動部のカバーの斜視図
【図３】カバーを取り外したメディア駆動部を示す斜視図
【図４】メディア駆動部回路基板を取り外したメディア駆動部を示す斜視図
【図５】装置本体の斜視図
【図６】上面カバーを取り外し光ディスクカートリッジを装着した装置本体を示す斜視図
【図７】光ディスクカートリッジの内部を示す斜視図
【図８】本体フレームを取り外し、光ディスクカートリッジを装着した装置本体を示す斜視図
【図９】装置本体の下面斜視図
【図１０】光ディスクドライブ装置の動作を示すカバーを取り外したメディア駆動部の斜視図
【図１１】光ディスクドライブ装置をコネクタ側から見た斜視図
【図１２】光ディスクドライブ装置をメディア駆動部側から見た斜視図
【図１３】メディア駆動部を取り外した装置本体の斜視図
【図１４】下面カバーを取り外した装置本体の下面斜視図
【図１５】下面カバーを取り外した装置本体の下面斜視図
【図１６】光ディスクカートリッジが装着された状態の光ディスクドライブ装置の斜視図
【図１７】スピンドルモータに光ディスクが吸着された状態を示す斜視図
【図１８】下面カバーを取り外した装置本体の下面斜視図
【図１９】メディア駆動部の内部を示す前方斜視図
【図２０】メディア駆動部の内部を示す側方斜視図
【図２１】光ディスクドライブ装置の縦断面図
【符号の説明】
【００６６】
１，２    カバー
３    ガイド棒
１０    メディア駆動部回路基板
１１    光ピックアップ用ＦＰＣ
１２    基板間ＦＰＣ
１３    電子スイッチ
２０    ベース
２０ａ    係止ピン
２０ｂ    ボス
２１    光ピックアップモジュール
２２    スピンドルモータ
２３    リードスクリュー
２４    ラック板バネ
２５    リードスクリュー歯車
２６    軸受
２７    遮光板
２８    フィードモータ
２９    モータ歯車
３０    モータ固定部材
３１    フォトインターラプター
３３    ガイドシャフト
３４    ガイドシャフト固定部材
３５    側面ガイド部材
３５ａ    長孔
３６    側面係止部材
３７    側面係止バネ
３８    離間バネ
３９    スライドボタン
５０    ＣＦカード規格コネクタ
５１    本体フレーム
５２    上面カバー
６０    光ディスク
６１    光ディスクカートリッジ
６２    シャッター
６３    本体部回路基板
６４    金属リング
６５    シャッター係止部材
７０    カートリッジトレイ
７１    カートリッジ排出部材
７２    排出ばね
７３    支持軸
７４    カートリッジ係止部材
７５    下面カバー
１００    メディア駆動部
１０１    装置本体
１０１ａ    光ディスク挿入口
１０１ｂ    光ディスク装着
【図１】
2006268929.tif 000003
【図２】
2006268929.tif 000004
【図３】
2006268929.tif 000005
【図４】
2006268929.tif 000006
【図５】
2006268929.tif 000007
【図６】
2006268929.tif 000008
【図７】
2006268929.tif 000009
【図８】
2006268929.tif 000010
【図９】
2006268929.tif 000011
【図１０】
2006268929.tif 000012
【図１１】
2006268929.tif 000013
【図１２】
2006268929.tif 000014
【図１３】
2006268929.tif 000015
【図１４】
2006268929.tif 000016
【図１５】
2006268929.tif 000017
【図１６】
2006268929.tif 000018
【図１７】
2006268929.tif 000019
【図１８】
2006268929.tif 000020
【図１９】
2006268929.tif 000021
【図２０】
2006268929.tif 000022
【図２１】
2006268929.tif 000023